(57)【要約】【課題】構造が簡素で低コストであり、組立が容易である上、静かに使用することができるため、使用者は手、腕又は足のトレーニングを何時でもすることができる転動体構造を提供する。【解決手段】転動体構造は、２つの筐体２０，２１により構成された転動体を備える。心軸３０は、軸受３４が両端にそれぞれ枢着されるとともに、垂直に延びた回転部材３２が中心部に延設される。回転部材３２は、一端に心軸３０が結合され、他端にバランスウェイト３６が設けられる。回転部材３２がバランスウェイト３６に結合される長さは、転動体の半径より小さい。各筐体２０，２１の内部には、収容槽２２がそれぞれ形成される。各収容槽２２には、互いに対称な嵌合溝２４がそれぞれ形成される。２つの筐体２０，２１が閉じられると、心軸３０が２つの収容槽２２内に収容され、各軸受３４が対応した嵌合溝２４にそれぞれ嵌設される。【選択図】図２
0003231018.tif 000002
【実用新案登録請求の範囲】
【請求項１】
２つの筐体により構成された転動体を備えた、転動体構造であって、
前記転動体の外側面の異なる位置には、２つの凹状開口部がそれぞれ形成され、
各前記凹状開口部の外縁には、操作部がそれぞれ設けられ、
心軸は、軸受が両端にそれぞれ枢着されるとともに、垂直に延びた回転部材が中心部に延設され、
前記回転部材は、一端に心軸が結合され、他端にバランスウェイトが設けられ、
前記回転部材が前記バランスウェイトに結合される長さは、前記転動体の半径より小さく、
各前記筐体の内部には、収容槽がそれぞれ形成され、
各前記収容槽には、互いに対称な嵌合溝がそれぞれ形成され、
前記２つの筐体が閉じられると、前記心軸が２つの前記収容槽内に収容され、各前記軸受が対応した前記嵌合溝にそれぞれ嵌設されることを特徴とする、転動体構造。
【請求項２】
前記操作部は、ハンドル構造であることを特徴とする請求項１に記載の転動体構造。
【請求項３】
前記操作部は、弧形状を呈することを特徴とする請求項１に記載の転動体構造。
【請求項４】
前記操作部の外縁には、滑り止め部が設けられることを特徴とする請求項１に記載の転動体構造。
【請求項５】
前記回転部材は、棒状体であることを特徴とする請求項１に記載の転動体構造。
【請求項６】
前記筐体は、４つの位置決め部材により各前記操作部に隣接した上部及び下部で固設されることを特徴とする請求項１に記載の転動体構造。
【請求項７】
各前記筐体の結合面の周縁には、少なくとも１つの嵌合凸縁と、少なくとも１つの嵌合凹縁とがそれぞれ対応して設けられ、前記２つの筐体が閉じられると、各前記嵌合凸縁が対応した前記嵌合凹縁にそれぞれ結合されることを特徴とする請求項１に記載の転動体構造。
【請求項８】
各前記筐体の内部には、複数の組立凸部及び複数の組立凹部がそれぞれ対応して設けられ、前記２つの筐体が閉じられると、各前記組立凸部には、対応して設けられた各前記組立凹部がそれぞれ結合されることを特徴とする請求項１に記載の転動体構造。
【考案の詳細な説明】
【技術分野】
【０００１】
本考案は、転動体構造に関するものである。
【背景技術】
【０００２】
図５及び図６を参照する。図５及び図６に示すように、本考案者により従来から転動体５０が開示されている。転動体５０は、２つの筐体６１，６２を含む。これら筐体６１，６２は、互いに対向する箇所に接合面６３が形成されている。転動体５０の内部には、球槽空間６４が形成されている。球槽空間６４は、径方向に間隔をおいて形成された２つの槽壁面６５と、球槽空間６４内の周底面に形成された環状チャネル６６と、を含む。２つの凹状開口部５２は、転動体５０の両側にそれぞれ設けられ、凹状開口部５２の外縁に２つの弧状ハンドル５４がそれぞれ設けられている。重力球７０は、球槽空間６４の内部に配設され、任意に転動可能である。
【０００３】
図５に図６を併せて参照する。使用者が複数の弧状ハンドル５４を把持し、回転軸を支点とし、重力球７０が球槽空間６４の環状チャネル６６に沿って転動し、使用者は、使用者自らの力と遠心力とを利用して転動体５０を転動させ、重力球７０が環状チャネル６６に沿って転動して生じる遠心力を利用し、使用者は腕の運動を行うことができる。しかし、重力球７０が転動するときに環状チャネル６６に当たって摩擦が生じて騒音が発生し、周りに迷惑をかけてしまうため、転動体５０を使用する時間は制限を受けていた。
【考案の概要】
【課題を解決するための手段】
【０００４】
上記課題を解決するために、本考案の第１の形態によれば、２つの筐体により構成された転動体を備えた、転動体構造であって、前記転動体の外側面の異なる位置には、２つの凹状開口部がそれぞれ形成され、各前記凹状開口部の外縁には、操作部がそれぞれ設けられ、心軸は、軸受が両端にそれぞれ枢着されるとともに、垂直に延びた回転部材が中心部に延設され、前記回転部材は、一端に心軸が結合され、他端にバランスウェイトが設けられ、前記回転部材が前記バランスウェイトに結合される長さは、前記転動体の半径より小さく、各前記筐体の内部には、収容槽がそれぞれ形成され、各前記収容槽には、互いに対称な嵌合溝がそれぞれ形成され、前記２つの筐体が閉じられると、前記心軸が２つの前記収容槽内に収容され、各前記軸受が対応した前記嵌合溝にそれぞれ嵌設されることを特徴とする、転動体構造を提供する。
【図面の簡単な説明】
【０００５】
【図１】本考案の一実施形態に係る転動体構造を示す斜視図である。
【図２】本考案の一実施形態に係る転動体構造を示す分解斜視図である。
【図３】本考案の一実施形態に係る転動体構造の２つの操作部を使用者が手で把持して回転軸の支点として用い、バランスウェイトが回動する状態の説明図である。
【図４】本考案の一実施形態に係る転動体構造の２つの凹状開口部に掌を合わせ、回転軸の支点として用いる状態の説明図である。
【図５】従来技術の分解斜視図である。
【図６】従来技術の２つの弧状ハンドルを手で把持し、回転軸の支点として用い、重力球が転動する状態の説明図である。
【考案を実施するための形態】
【０００６】
以下、図面により、本考案を具体的に説明する。もっとも、本考案は、かかる図面により限定されるものではない。
【０００７】
図１を参照する。図１に示すように、本考案の一実施形態に係る転動体構造は、２つの筐体２０，２１により構成された転動体１０を備える。転動体１０の外側面の異なる位置には、凹状開口部１２がそれぞれ形成される。各凹状開口部１２の外縁には、操作部１４がそれぞれ設けられる。操作部１４は、弧形状のハンドル構造に形成され、その外縁には滑り止め部が設けられる。
【０００８】
図１及び図２を参照する。図１及び図２に示すように、筐体２０，２１の中心部には、心軸３０が設置される。心軸３０の両端には、軸受３４がそれぞれ枢着される。心軸３０の中心部には、垂直に延びた回転部材３２が延設されている。回転部材３２は、棒状体である。回転部材３２は、一端に心軸３０が結合され、他端にバランスウェイト３６が設けられる。回転部材３２がバランスウェイト３６に結合される長さは、転動体１０の半径より小さい。２つの筐体２０，２１の内部には、収容槽２２がそれぞれ形成されている。各収容槽２２には、互いに対称な嵌合溝２４がそれぞれ形成される。２つの筐体２０，２１が閉じられると、心軸３０が２つの収容槽２２内に収容され、各軸受３４は、対応した嵌合溝２４にそれぞれ嵌設される。
【０００９】
引き続き図２を参照する。２つの筐体２０，２１は、４つの位置決め部材４０により各操作部１４に隣接した上部及び下部で固設されるため、位置決め部材４０の使用数が少なく、重量を減らすことができる上、組立工程を少なくすることもできる。
【００１０】
引き続き図２を参照する。２つの筐体２０，２１の結合面の周縁には、少なくとも１つの嵌合凸縁２６１と、少なくとも１つの嵌合凹縁２６２とがそれぞれ対応して設けられる。２つの筐体２０，２１が閉じられると、各嵌合凸縁２６１が対応した嵌合凹縁２６２にそれぞれ結合される。そのため筐体２０，２１の厚さが減り、転動体１０全体の重量を減らすことができる。また、２つの筐体２０，２１の内部には、複数の組立凸部２８１及び複数の組立凹部２８２がそれぞれ対応して設けられる。２つの筐体２０，２１が閉じられると、各組立凸部２８１には、対応して設けられた各組立凹部２８２が結合され、転動体１０の結合強度を高めることができる。
【００１１】
本考案の転動体構造の使用方式について、以下（１）〜（３）で説明する。
（１）図２及び図３を参照する。図２及び図３に示すように、転動体１０を実際に使用する際、使用者は両手で２つの操作部１４を把持し、２つの操作部１４を回転軸の支点として用い、バランスウェイト３６に力を加えて収容槽２２内で回転させて遠心力を発生させ、使用者は自らの力と遠心力とを利用して転動体１０を転動させ、遠心力により腕又は両足の運動を行い、バランスウェイト３６が回転部材３２に結合されているため、バランスウェイト３６が回転するとき、２つの筐体２０，２１の内壁面に当たって摩擦が発生することを防ぐことができる。そのため、バランスウェイト３６を静かに回転させることができる。
（２）図２及び図４を参照する。図２及び図４に示すように、転動体１０を実際に使用する際、使用者は両手の掌を２つの凹状開口部１２に合わせ、２つの凹状開口部１２が回転軸を支点として用い、使用者が力を加え、バランスウェイト３６を２つの収容槽２２内で回転させて遠心力を発生させ、使用者は、自らの力と遠心力とを利用して転動体１０を転動させ、遠心力により腕の運動を行うことができるが、バランスウェイト３６が回転部材３２に結合されているため、バランスウェイト３６が回転するとき、２つの筐体２０，２１の内壁面に当たって摩擦が生じることを防ぐことができる。そのため、バランスウェイト３６をスムーズかつ静かに回転させることができる。
（３）最後に、転動体１０を実際に使用する際、使用者が両足を２つの操作部１４に挿入し、２つの操作部１４を回転軸の支点として用い、バランスウェイト３６に力を加えて収容槽２２内で回転させると遠心力が生じ、使用者は、自らの力と遠心力とを利用して転動体１０を転動させ、遠心力により腕又は両足の運動を行うことができるが、バランスウェイト３６が回転部材３２に結合されているため、バランスウェイト３６が回転するとき、２つの筐体２０，２１の内壁面に当たって摩擦が生じることを防ぐことができる。そのため、バランスウェイト３６をスムーズかつ静かに回転させることができる。
【００１２】
上述したことから分かるように、本考案の転動体構造は、構造が簡素で低コストであり、組立が容易である上、静かに使用することができるため、周りの人に迷惑をかけることがない。そのため、使用者は手、腕又は足のトレーニングを何時でもすることができる。
【符号の説明】
【００１３】
＜本考案＞
１０  転動体
１２  凹状開口部
１４  操作部
２０  筐体
２１  筐体
２２  収容槽
２４  嵌合溝
３０  心軸
３２  回転部材
３４  軸受
３６  バランスウェイト
４０  位置決め部材
２６１  嵌合凸縁
２６２  嵌合凹縁
２８１  組立凸部
２８２  組立凹部
＜従来技術＞
５０  転動体
５２  凹状開口部
５４  弧状ハンドル
６１  筐体
６２  筐体
６３  接合面
６４  球槽空間
６５  槽壁面
６６  環状チャネル
７０  重力球
【図１】
0003231018.tif 000003
【図２】
0003231018.tif 000004
【図３】
0003231018.tif 000005
【図４】
0003231018.tif 000006
【図５】
0003231018.tif 000007
【図６】
0003231018.tif 000008